(57)【特許請求の範囲】
【請求項１】
病室の各病床に設置されたナースコール子機（１ａ、１ｂ、・・・、２ａ、２ｂ、・・・、３ａ、３ｂ、・・・）からの呼出信号を、病室の入口に設置された廊下灯（２１ａ、２１ｂ、・・・、２２ａ、２２ｂ、・・・、２３ａ、２３ｂ、・・・）を介して接続され、複数のナースステーションにそれぞれ設置された第１のナースコール親機（１１）あるいは第２のナースコール親機（１２）に報知／表示させるナースコールシステムであって、
前記廊下灯は前記第１のナースコール親機に接続される第１群の廊下灯群（２１ａ、２１ｂ、・・・）と、前記第２のナースコール親機に接続される第２群の廊下灯群（２２ａ、２２ｂ、・・・）と、前記第１あるいは第２のナースコール親機のいずれか１つに接続することを選択する切替部（２３１ａ、２３１ｂ、・・・）を有する第３群の廊下灯群（２３ａ、２３ｂ、・・・）とに分類され、
前記第１のナースコール親機には第１群及び第３群の廊下灯群に接続されたナースコール子機を選局する第１の選局部（１１１）を有し、前記第２のナースコール親機には第２群及び第３群の廊下灯群に接続されたナースコール子機を選局する第２の選局部（１２１）を有し、
前記ナースコール親機には、前記第１群及び第２群の廊下灯群のみが接続されている際には全ての廊下灯に対して、接続を確認するための定期診断を行なうとともに、
前記第１群乃至第３群の廊下灯群が全て接続されている際には、少なくとも第３群の廊下灯群に対しては定期診断の実施を抑止する親機ＣＰＵ（１１２、１２２）を備えたことを特徴とするナースコールシステム。
【請求項２】
病室の各病床に設置されたナースコール子機（１ａ、１ｂ、・・・、２ａ、２ｂ、・・・、３ａ、３ｂ、・・・）からの呼出信号を、病室の入口に設置された廊下灯（２１ａ、２１ｂ、・・・、２２ａ、２２ｂ、・・・、２３ａ、２３ｂ、・・・）を介して接続され、複数のナースステーションにそれぞれ設置された第１のナースコール親機（１１）あるいは第２のナースコール親機（１２）に報知／表示させるナースコールシステムであって、
前記廊下灯は前記第１のナースコール親機に接続される第１群の廊下灯群（２１ａ、２１ｂ、・・・）と、前記第２のナースコール親機に接続される第２群の廊下灯群（２２ａ、２２ｂ、・・・）と、前記第１あるいは第２のナースコール親機のいずれか１つに接続することを選択する切替部（２３１ａ、２３１ｂ、・・・）を有する第３群の廊下灯群（２３ａ、２３ｂ、・・・）とに分類され、
前記第１のナースコール親機には第１群及び第３群の廊下灯群に接続されたナースコール子機を選局する第１の選局部（１１１）を有し、前記第２のナースコール親機には第２群及び第３群の廊下灯群に接続されたナースコール子機を選局する第２の選局部（１２１）を有し、
前記ナースコール親機には、前記第１群乃至第３群の廊下灯群の全ての廊下灯に対して、接続を確認するための定期診断を行ない、前記第１群乃至第２群の廊下灯群において定期診断異常が発生した際には異常警報を鳴動し、前記第３群の廊下灯群において定期診断異常が発生した際には異常警報を抑止するとともに、前記第１の選局部及び前記第２の選局部のうち定期診断異常となった廊下灯に属する前記ナースコール子機の選局を操作不可とする親機ＣＰＵ（１１２、１２２）を備えたことを特徴とするナースコールシステム。
【請求項３】
前記ナースコール親機は、当該親機の画面上にそれぞれの患者名を一覧表示、あるいは病室レイアウトに合わせて表示する表示部（１１３、１２３）を有するとともに、前記患者名を取得するために、患者情報を登録するオーダリングシステム（３）から患者情報を受信して前記ナースコール親機に送信するためのサーバ（４）に接続され、
前記オーダリングシステムは患者の入院指示があると患者ＩＤ、患者名及びベッド番号を前記サーバに通知し、
前記サーバはベッド番号を基に入院する患者のナースコール子機と廊下灯を特定し、入院する患者が前記第１群乃至第２群の廊下灯群に属する場合には患者名、患者ＩＤとともにベッド番号に対応するナースコール子機番号を前記第１乃至第２のナースコール親機に通知し、入院する患者が前記第３群の廊下灯群に属する場合には患者名、患者ＩＤとともにベッド番号に対応するナースコール子機番号を前記第１のナースコール親機に通知するとともに患者ＩＤとして新規ＩＤを付与して患者名とともにベッド番号に対応するナースコール子機番号を前記第２のナースコール親機に通知することを特徴とする請求項１または２記載のナースコールシステム。
【請求項４】
前記ナースコール親機は、当該親機の画面上にそれぞれの患者名を一覧表示、あるいは病室レイアウトに合わせて表示する表示部（１１３、１２３）を有するとともに、前記患者名を取得するために、患者情報を登録するオーダリングシステム（３）から患者情報を受信して前記ナースコール親機に送信するためのサーバ（４）に接続され、
前記オーダリングシステムは患者ＩＤ及び患者名を前記サーバに通知し、
前記サーバは患者名、患者ＩＤを前記第１及び第２のナースコール親機に通知し、
前記第１及び第２のナースコール親機の一方において患者の入院操作により前記第３群の廊下灯群に属するナースコール子機番号に患者が割りつけられると、前記第１及び第２のナースコール親機の他方に対して患者ＩＤとナースコール子機番号を通知することを特徴とする請求項１または２記載のナースコールシステム。
【請求項５】
前記第１及び第２のナースコール親機のそれぞれの親機ＣＰＵは、前記第３群の廊下灯群の廊下灯に対して、定期診断を行ない、双方の親機がいずれも定期診断異常となった廊下灯が発生した際には、少なくとも一方のナースコール親機で当該廊下灯の異常警報を鳴動することを特徴とする請求項２記載のナースコールシステム。
【請求項６】
前記第１及び第２のナースコール親機のそれぞれの親機ＣＰＵは、前記第３群の廊下灯群の廊下灯に対して、定期診断を行ない、定期診断異常となり操作不可となった廊下灯の属するナースコール子機を識別可能とするために操作部の表示を変えることを特徴とする請求項２記載のナースコールシステム。
【発明の詳細な説明】
【技術分野】
【０００１】
本発明は、病院等の医療施設に設置されるナースコールシステムに係り、特に、複数のナースコール親機のうちからいずれか１つを選択して接続可能な切替スイッチを有する廊下灯を備え、当該廊下灯を介したナースコール子機のからの呼出しが報知／表示されるナースコール親機が接続されたナースコールシステムに関する。
【背景技術】
【０００２】
従来から、この種のナースコールシステムとして、病室内に設置され複数のグループ単位で管理される複数のナースコール子機と、複数のナースコール子機をグループ別に管理する複数のナースコール親機と、複数のナースコール子機とグループ別に接続される複数グループからなる複数の移動機と、ナースコール子機をナースコール親機または移動機に同一グループ別に接続する制御手段とを備え、制御手段は設定された転送指令に基づいてあるグループに属するナースコール子機からの呼び出しを他のグループに属するナースコール親機および／または移動機に転送する着信転送機能を有するナースコールシステムが記載されている。（例えば、特許文献１を参照。）
【先行技術文献】
【特許文献】
【０００３】
【特許文献１】特開２０００−１０７２３９号公報
【発明の概要】
【発明が解決しようとする課題】
【０００４】
しかしながら、従来のナースコールシステムでは、あるナースコール子機から呼び出された時にどのナースコール親機を呼び出すかは物理的な配線により固定されていたため、患者の一時的な増加により隣接する診療科から病室を借りる際、ナースコール呼出は隣接科のナースコール親機に鳴動してしまい、また、従来技術の着信転送機能では一方の親機の鳴動が完全に停止し、一部の廊下灯のみを転送することが困難であるため、使い勝手が悪く、迅速な対応が困難となる難点があった。
【０００５】
本発明は、上述の難点を解消するためになされたもので、病室の各病床に設置されたナースコール子機からナースコール親機への呼出先を選択可能とするために、ナースコール子機をナースコール親機に接続するために病室の入口に設置された廊下灯に、ナースコール親機を切り替えるための切替スイッチを設けて、スイッチの切替によって複数のナースコール親機から１つを選択可能とし、さらに、スイッチの切替によってナースコール親機での表示、及び定期診断への悪影響を防止する機能を有する親機ＣＰＵを備え、診療科ごとの患者の一時的な増減に対応可能なナースコールシステムを提供することを目的とする。
【課題を解決するための手段】
【０００６】
この目的を達成するため、本発明によるナースコールシステムは、ナースコール子機からの呼出しを廊下灯を介して複数のナースコール親機の何れかに報知／表示させるナースコールシステムであって、廊下灯は第１のナースコール親機に接続される第１群の廊下灯群と、第２のナースコール親機に接続される第２群の廊下灯群と、第１あるいは第２のナースコール親機のいずれかに接続することを選択する切替スイッチを有する第３群の廊下灯群とに分類され、第１のナースコール親機には第１群及び第３群の廊下灯群に接続されたナースコール子機を選局する第１の選局部を有し、第２のナースコール親機には第２群及び第３群の廊下灯群に接続されたナースコール子機を選局する第２の選局部を有し、ナースコール親機には、第１群及び第２群の廊下灯群のみが接続されている際には全ての廊下灯に対して、接続の正常動作を確認するための定期診断を行なうとともに、第１群乃至第３群の廊下灯群が全て接続されている際には、少なくとも第３群の廊下灯群に対しては定期診断の実施を抑止する親機ＣＰＵを備えたものである。
【０００７】
また、本発明によるナースコールシステムは、ナースコール子機からの呼出しを廊下灯を介して複数のナースコール親機の何れかに報知／表示させるナースコールシステムであって、廊下灯は第１のナースコール親機に接続される第１群の廊下灯群と、第２のナースコール親機に接続される第２群の廊下灯群と、第１あるいは第２のナースコール親機のいずれかに接続することを選択する切替スイッチを有する第３群の廊下灯群とに分類され、第１のナースコール親機には第１群及び第３群の廊下灯群に接続されたナースコール子機を選局する第１の選局部を有し、第２のナースコール親機には第２群及び第３群の廊下灯群に接続されたナースコール子機を選局する第２の選局部を有し、ナースコール親機には、第１群乃至第３群の廊下灯群の全ての廊下灯に対して、接続の正常動作を確認するための定期診断を行ない、第１群乃至第２群の廊下灯群において定期診断異常が発生した際には異常警報を鳴動し、第３群の廊下灯群において定期診断異常が発生した際には異常警報を抑止するとともに、第１の操作部及び第２の操作部のうち定期診断異常となった廊下灯に属するナースコール子機を操作不可とする親機ＣＰＵを備えたものである。
【０００８】
また、本発明によるナースコールシステムは、ナースコール親機の画面上にそれぞれの患者名を一覧表示、あるいは病室レイアウトに合わせて表示する表示部を有するとともに、患者名を取得するためにオーダリングシステムと接続するためのサーバに接続され、オーダリングシステムは患者の入院指示があると患者ＩＤ、患者名及びベッド番号をサーバに通知し、サーバはベッド番号を基に入院する患者のナースコール子機と廊下灯を特定し、入院する患者が第１群乃至第２群の廊下灯群に属する場合には患者名、患者ＩＤとともにベッド番号に対応するナースコール子機番号を第１乃至第２のナースコール親機に通知し、入院する患者が第３群の廊下灯群に属する場合には患者名、患者ＩＤとともにベッド番号に対応するナースコール子機番号を第１のナースコール親機に通知するとともに患者ＩＤとして新規ＩＤを付与して患者名とともにベッド番号に対応するナースコール子機番号を第２のナースコール親機に通知するものである。
【０００９】
また、本発明によるナースコールシステムのナースコール親機は、当該親機の画面上にそれぞれの患者名を一覧表示、あるいは病室レイアウトに合わせて表示する表示部を有するとともに、患者名を取得するためにオーダリングシステムと接続するためのサーバに接続され、オーダリングシステムは患者ＩＤ及び患者名をサーバに通知し、サーバは患者名、患者ＩＤを第１及び第２のナースコール親機に通知し、第１及び第２のナースコール親機の一方において患者の入院操作により第３群の廊下灯群に属するナースコール子機番号に患者が割りつけられると、第１及び第２のナースコール親機の他方に対して患者ＩＤとナースコール子機番号を通知するものである。
【００１０】
また、本発明によるナースコールシステムのナースコール親機は、当該親機の画面上にそれぞれの患者名を一覧表示、あるいは病室レイアウトに合わせて表示する表示部を有するとともに、患者名を取得するためにオーダリングシステムと接続するためのサーバに接続され、オーダリングシステムは患者ＩＤ及び患者名をサーバに通知し、サーバは患者名、患者ＩＤを第１及び第２のナースコール親機に通知し、第１及び第２のナースコール親機の一方において操作可能となっている第１の操作部あるいは第２の操作部の一方により第３群の廊下灯群に属するナースコール子機番号に患者が割りつけられた後に、廊下灯の切替部の操作により操作不能となったナースコール子機番号に割りつけられた患者をベッド移動させて第１及び第２のナースコール親機の他方に対して患者ＩＤとナースコール子機番号を通知するとともに、通知元の患者のナースコール子機番号への割りつけを消去するものである。
【００１１】
また、本発明による第１及び第２のナースコール親機のそれぞれの親機ＣＰＵは、第３群の廊下灯群の廊下灯に対して、定期診断を行ない、双方の親機がいずれも定期診断異常となった廊下灯が発生した際には、少なくとも一方のナースコール親機で当該廊下灯の異常警報を鳴動するものである。
【００１２】
また、本発明による第１及び第２のナースコール親機のそれぞれの親機ＣＰＵは、第３群の廊下灯群の廊下灯に対して、定期診断を行ない、定期診断異常となり操作不可となった廊下灯の属するナースコール子機を識別可能とするために操作部の表示を変えるものである。
【発明の効果】
【００１３】
請求項１のナースコールシステムによれば、一部の廊下灯が任意のナースコール親機のいずれかに切替可能となり、診療科の入院患者の増減により病室を複数の診療科で併用可能となるとともに、切替で廊下灯を切断されたナースコール親機も、切替の可能性のある廊下灯には定期診断を抑止することにより、誤った断線警報が鳴動することを抑止することができる。
【００１４】
また、請求項２のナースコールシステムによれば、一部の廊下灯が任意のナースコール親機のいずれかに切替可能となり、診療科の入院患者の増減により病室を複数の診療科で併用可能となるとともに、切替で廊下灯を切断されたナースコール親機も、切替の行われない廊下灯は定期診断異常で断線警報を鳴動するとともに、切替の可能性のある廊下灯が定期診断異常となった場合にはナースコール親機で当該子機が操作不可とすることにより、誤った断線警報が鳴動することを抑止することができるとともに、ナースコール親機での誤操作を防止することができる。
【００１５】
また、請求項３のナースコールシステムによれば、ナースコール親機は患者情報を入手するためにサーバに接続されており、双方のナースコール親機に接続される可能性のある患者の情報については、サーバが新規の患者ＩＤを作成して患者情報を複写することにより、複数のナースコール親機に同一の患者ＩＤを有する患者が同時に入院することを防ぐことができ、ナースコール親機のソフトウェアを変更することなく、切り替えた患者を確実に表示することができる。
【００１６】
また、請求項４のナースコールシステムによれば、ナースコール親機は患者情報を入手するためにサーバに接続されており、ナースコール親機のソフトウェアを改良し、双方のナースコール親機に接続される可能性のある患者の情報については、入院処理を行なったナースコール親機が他のナースコール親機に入院情報を送信することにより、複数のナースコール親機で同一の患者ＩＤを有する患者を同時に入院処理することができ、双方のナースコール親機の入院情報が一致するため、切り替えた患者を確実に表示することができる。
【００１７】
また、請求項５のナースコールシステムによれば、ナースコール親機は患者情報を入手するためにサーバに接続されており、ナースコール親機のソフトウェアを改良し、入院処理を行なったナースコール親機が当該入院患者の属する廊下灯の切替を検出すると、他のナースコール親機にベッド移動情報を送信することにより、複数のナースコール親機で同一の患者ＩＤを有する患者を切り替えて入院処理することができ、双方のナースコール親機の入院情報の整合性が取れるため、切替えた患者を確実に表示することができる。
【００１８】
また、請求項６のナースコールシステムによれば、切替の可能性のある廊下灯が、第１及び第２のナースコール親機の何れの親機でも定期診断異常となった場合には、少なくとも一方で断線警報が鳴動することにより、切替を行なう廊下灯でも故障を検出することができる。
【００１９】
また、請求項７のナースコールシステムによれば、切替の可能性のある廊下灯が定期診断異常となった場合にはナースコール親機で当該子機が操作不可であることを表示することにより、ナースコール親機で視覚的に切替状況を把握することができる。
【図面の簡単な説明】
【００２０】
【図１】図１は、本発明の実施例によるナースコールシステムの全体（外観）構成を示す構成図である。
【図２】図２は、本発明の実施例によるナースコールシステムにおいて、廊下灯の具体的な構成を示すブロック図である。
【図３】図３は、第１の実施例における定期診断のフローチャートの一例である。
【図４】図４は、第２の実施例における定期診断のフローチャートの一例である。
【図５】図５は、第３の実施例における定期診断のフローチャートの一例である。
【発明を実施するための形態】
【００２１】
以下、本発明のナースコールシステムを適用した最良の実施の形態例について、図面を参照して説明する。図１は、本発明の一実施例によるナースコールシステムの全体構成を示す構成図であり、病院内の所定のエリア、ここでは、看護師を呼び出すために病室内の各病床にそれぞれ設置され、固有のナースコール子機番号を有する複数のナースコール子機１ａ、１ｂ、・・・、２ａ、２ｂ、・・・、３ａ、３ｂ、・・・と、複数のナースステーション内にそれぞれ設置され病室からの呼出信号を受信して呼出報知を行なう第１、第２のナースコール親機１１、１２と、病室出入口の廊下に設置されてナースコール子機の信号をナースコール親機に伝送するとともにナースコール子機の呼出信号を報知する廊下灯２１ａ、２１ｂ、２２ａ、２２ｂ、２３ａ、２３ｂ、・・・と、病院内の共用部に設置され第１、第２のナースコール親機１１、１２の間をそれぞれ制御（回線制御、患者氏名配信制御等）するためのサーバ４と、患者ＩＤ、氏名等の患者情報を管理し、サーバ４を介して第１、第２のナースコール親機１１、１２に患者情報を通知するオーダリングシステム３で構成されている。
【００２２】
廊下灯２１ａ、２１ｂ、２２ａ、２２ｂ、２３ａ、２３ｂ、・・・は、接続形態によって３種類の廊下灯群に分類され、第１のナースコール親機１１のみに接続される第１群に属する廊下灯２１ａ、２１ｂ、・・・と、第２のナースコール親機１２のみに接続される第２群に属する廊下灯２２ａ、２２ｂ、・・・と、第１、第２のナースコール親機１１、１２のいずれにも接続可能である第３群に属する廊下灯２３ａ、２３ｂ、・・・とからなる。
【００２３】
第１のナースコール親機１１には、廊下灯接続ラインＬ１を介して第１群及び第３群に属する廊下灯２１ａ、２１ｂ、２３ａ、２３ｂ、・・・が接続され、第２のナースコール親機１２には、廊下灯接続ラインＬ２を介して第２群及び第３群に属する廊下灯２２ａ、２２ｂ、２３ａ、２３ｂ、・・・が接続されている。
【００２４】
第３群に属する廊下灯２３ａ、２３ｂ、・・・には、第１のナースコール親機１１の廊下灯接続ラインＬ１、第２のナースコール親機１２の廊下灯接続ラインＬ２のいずれか１つに物理的接続するかを選択するための切替スイッチ２３１ａ、２３１ｂを備えている。
【００２５】
廊下灯２１ａには、ナースコール子機１ａ、１ｂ、・・・が接続され、廊下灯２２ａには、ナースコール子機２ａ、２ｂ、・・・が接続され、廊下灯２３ａには、ナースコール子機３ａ、３ｂ、・・・が接続されている。
【００２６】
なお、廊下灯２１ｂ、２２ｂ、２３ｂにも、図示しないナースコール子機が接続されている。
【００２７】
第１、第２のナースコール親機１１、１２にはそれぞれ、廊下灯を介して接続されているナースコール子機が備えられたベッドに入院している患者を病室レイアウトに合わせて表示するためのコンピュータディスプレイ等の表示部１１３、１２３と、当該入院している患者を選択して通話を行なうために、ディスプレイ上に備えられているタッチパネル等の第１、第２の選局部１１１、１２１と、第１、第２のナースコール親機１１、１２の各部を制御するとともに、廊下灯との接続が正常であるか否かを診断するための親機ＣＰＵ１１２、１２２を有している。
【００２８】
なお、上記説明では患者の表示にコンピュータディスプレイを使用してレイアウト表示している例を説明したが、表示部１１３、１２３が患者名の一覧表示となっており、第１、第２の選局部１１１、１２１が機械式のスイッチであるものであっても同様の効果を奏する。
【００２９】
親機ＣＰＵ１１２、１２２は、第１、第２のナースコール親機１１、１２内の図示しない記憶部に記憶された情報により、接続されている廊下灯の廊下灯ＩＤ及びナースコール子機のベッド番号と、当該廊下灯ＩＤが第１群乃至第３群のいずれに属するかという所属情報を把握している。
【００３０】
図２は第３群に属する廊下灯２３ａ（２３ｂ）の内部ブロック図であり、各々の廊下灯には前述した切替スイッチ２３１ａ（２３１ｂ）のほか、廊下灯ＣＰＵ２３２ａ（２３２ｂ）、親機側ＩＦ２３４ａ（２３４ｂ）を有しており、親機側ＩＦ２３４ａ（２３４ｂ）には廊下灯接続ラインＬ１、Ｌ２が接続されている。切替スイッチ２３１ａ（２３１ｂ）を第１のナースコール親機１１側に設定した際には、親機側ＩＦ２３４ａ（２３４ｂ）と廊下灯接続ラインＬ２を物理的に接続し、親機側ＩＦ２３４ａ（２３４ｂ）と廊下灯接続ラインＬ１を物理的に切り離す。また、切替スイッチ２３１ａ（２３１ｂ）を第２のナースコール親機１２側に設定した際には、親機側ＩＦ２３４ａ（２３４ｂ）と廊下灯接続ラインＬ１を物理的に切り離し、親機側ＩＦ２３４ａ（２３４ｂ）と廊下灯接続ラインＬ２を物理的に接続する。
【００３１】
このように構成された本発明の一実施例によるナースコールシステムにおいて、以下、その動作について説明する。なお、初期状態として、第３群に属する全ての廊下灯２３ａ、２３ｂ、・・・は、全ての切替スイッチ２３１ａ、２３１ｂ、・・・が第１のナースコール親機１１側の廊下灯接続ラインＬ１に選択されているものとして説明を行なう。
【実施例１】
【００３２】
第１の実施例として、請求項１及び請求項３に基づいた動作の一例を示す。図１の構成図において、オーダリングシステム３は、医師からの入院指示により、入院患者の患者名、患者ＩＤ等の患者情報を、入院する病室のベッド番号とともにサーバ４に送信する。サーバ４は、患者情報に付与されたベッド番号から廊下灯ＩＤを特定し、当該廊下灯ＩＤが接続される第１、第２のナースコール親機１１、１２に患者情報を通知する。
【００３３】
しかし、廊下灯ＩＤが第３群に属する廊下灯の場合、第１、第２のナースコール親機１１、１２の双方に患者情報を通知する必要があるが、同一の患者が複数のナースコール親機で同時に入院することはシステム上あり得ないため、このまま双方のナースコール親機に同一の患者ＩＤを有する患者情報を通知することは困難である。
【００３４】
このため、廊下灯ＩＤが第３群に属する廊下灯の場合には、当該廊下灯ＩＤに属する患者ＩＤのみを変更したコピーを作成し、例えば元の患者ＩＤが２００１であれば、ＩＤを１０万加算して１０２００１のように新規の患者ＩＤを作成し、患者ＩＤ以外のデータを新規の患者ＩＤにコピーして通知する。
【００３５】
つまり、廊下灯ＩＤが第１群に属する廊下灯であれば第１のナースコール親機１１に、廊下灯ＩＤが第２群に属する廊下灯であれば第２のナースコール親機１２に患者情報を通知する。廊下灯ＩＤが第３群に属する廊下灯であれば第１のナースコール親機１１に患者情報を通常の患者ＩＤでそのまま通知し、第２のナースコール親機１２にはコピーした患者ＩＤを用いて患者情報を通知する。
【００３６】
患者情報を通知された第１のナースコール親機１１の親機ＣＰＵ１１２は、表示部１１３のうち、病室のベッド配置にあわせて表示されている患者ごとに割り当てられる第１の選局部１１１に対応する位置に、新たに入院した当該患者の氏名等の患者情報を表示する。
【００３７】
また、第２のナースコール親機１２も第１のナースコール親機１１と同様に表示部１２３に新たに入院した当該患者の氏名等の患者情報を表示する。
【００３８】
例えば、患者ＩＤ２００２の患者が第３群に属する廊下灯２３ａに接続されたナースコール子機３ａが設置されたベッドに入院すると、第１のナースコール親機１１の表示部１１３のうち、ナースコール子機３ａに対応する部分の表示部１１３に当該患者の氏名が表示される。また、第２のナースコール親機１２の親機ＣＰＵ１２２には、同一患者が患者ＩＤ１０２００２として入院データを受信し、第２のナースコール親機１２の表示部１２３のうち、ナースコール子機３ａに対応する部分の表示部１２３に当該患者の氏名が表示される。
【００３９】
この状態において、当該患者がナースコール子機３ａを操作して看護師を呼び出すと、ナースコール子機３ａからの呼出信号が廊下灯２３ａの廊下灯ＣＰＵ２３２ａで受信される。前述の通り廊下灯２３ａの切替スイッチ２３１ａが第１のナースコール親機１１側に選択されていることから、廊下灯ＣＰＵ２３２ａからの呼出信号は親機側ＩＦ２３４ａ、廊下灯接続ラインＬ１を介して第１のナースコール親機１１に送信される。呼出信号を受信した第１のナースコール親機１１の親機ＣＰＵ１１２は、ナースコール子機３ａの子機番号を確認し、当該患者の表示部１１３の色を変え、図示しない放音部から呼出音を鳴動することにより、患者の呼出を看護師に通知する。なお、第２のナースコール親機１２は切替スイッチ２３１ａにより廊下灯２３ａの信号を受信できなくなっているため、呼出が報知されることはない。
【００４０】
呼出に気づいた看護師は、第１のナースコール親機１１の第１の選局部１１１を操作して、図示しない通話部を用いて呼出を行なった患者と通話することができる。
【００４１】
また、呼出や通話が行なわれていない時に、看護師が廊下灯２３ａの切替スイッチ２３１ａを切り替え、第２のナースコール親機１２側の廊下灯接続ラインＬ２に選択すると、前述の患者が再び呼出を行なった際には、廊下灯ＣＰＵ２３２ａからの呼出信号は廊下灯接続ラインＬ２を介して第２のナースコール親機１２に送信される。呼出信号を受信した第２のナースコール親機１２の親機ＣＰＵ１２２は、ナースコール子機３ａの子機番号を確認し、当該患者の表示部１２３の色を変え、図示しない放音部から呼出音を鳴動することにより、患者の呼出を看護師に通知する。なお、第１のナースコール親機１１は切替スイッチ２３１ａにより廊下灯２３ａの信号を受信できなくなっているため、呼出が報知されることはない。
【００４２】
次に、第１のナースコール親機１１からの廊下灯の定期診断について説明する。
【００４３】
第１のナースコール親機１１は、第１群に属する廊下灯２１ａ、２１ｂについて、接続されている廊下灯が正常に動作しているか否かを定期的に通信を行なうことで確認し、定期診断結果に異常が発生した場合には、断線警報を表示部１１３の表示や、図示しない放音部から警報音を鳴動することにより通知している。しかし、第３群に属する廊下灯２３ａ、２３ｂについては、切替スイッチ２３１ａ、２３１ｂの操作により通信が行なえなくなることがあるため、図３のフローチャートに示すように、定期診断の対象から除外することにより、誤って断線警報が報知されることを防止することができる。
【実施例２】
【００４４】
第２の実施例として、請求項２、請求項４及び請求項７に基づいた動作の一例を示す。図１の構成図において、オーダリングシステム３は、登録された患者の患者ＩＤ等、患者情報をサーバ４に送信する。第１の実施例と異なり、オーダリングシステム３は患者の入院情報を保持しておらず、入院操作についてはナースコール親機で行なう。
【００４５】
患者が入院する際、第１のナースコール親機１１は、図示しないキーボード等の操作部の操作により患者の入院手続を行なう。具体的には、入院させる患者のＩＤを操作部から入力し、入院させるベッドの位置を第１の選局部１１１で選局すると、親機ＣＰＵ１１２は、サーバ４に対して当該患者ＩＤを有する患者の患者情報を要求する。サーバ４は親機ＣＰＵ１１２からの要求に従ってオーダリングシステム３から受信した患者情報のうち当該患者ＩＤを有する患者の氏名等の患者情報を第１のナースコール親機１１に送信する。
【００４６】
患者情報を通知された第１のナースコール親機１１の親機ＣＰＵ１１２は、表示部１１３のうち、病室のベッド配置にあわせて表示されている患者ごとに割り当てられる第１の選局部１１１に対応する位置に、新たに入院した当該患者の氏名等の患者情報を表示する。
【００４７】
患者が第１群に属する廊下灯２１ａ、２１ｂに接続された子機に割り当てられた場合にはそのまま待受け状態に移行するが、患者が第３群に属する廊下灯２３ａ、２３ｂに接続された子機に割り当てられた場合には、入院情報を第２のナースコール親機１２に送信する必要がある。
【００４８】
親機ＣＰＵ１１２は、第２のナースコール親機１２に対して、入院患者の患者ＩＤ等、患者情報を、入院する病室のベッド番号、廊下灯ＩＤとともに通知する。患者情報を通知された第２のナースコール親機１２の親機ＣＰＵ１２２は、表示部１２３のうち、病室のベッド配置にあわせて表示されている患者ごとに割り当てられる第２の選局部１２１に対応する位置に、新たに入院した当該患者の氏名等の患者情報を表示する。これにより、第２のナースコール親機１２も第１のナースコール親機１１と同様に表示部１２３に新たに入院した当該患者の氏名等の患者情報を表示する。
【００４９】
第２の実施例における患者と看護師の呼出、通話については、第１の実施例と同様であるため説明を省略する。
【００５０】
次に、第１のナースコール親機１１からの廊下灯の定期診断について説明する。
【００５１】
第１のナースコール親機１１は、第１群及び第３群に属する廊下灯２１ａ、２１ｂ、２３ａ、２３ｂについて、接続されている廊下灯が正常に動作しているか否かを定期的に通信を行なうことで確認している。第１群に属する廊下灯２１ａ、２１ｂにおいて定期診断結果に異常が発生した場合には、図示しない放音部から警報音を鳴動することにより異常警報を通知している。しかし、第３群に属する廊下灯２３ａ、２３ｂについては、切替スイッチ２３１ａ、２３１ｂの操作により通信が行なえなくなることがあるため、図４に示すように、定期診断結果に異常が発生した場合には、親機ＣＰＵ１１２は、断線警報の報知を抑止するとともに、表示部１１３のうち、定期診断異常となった廊下灯に対応する病室のベッドが表示された部分を灰色で網掛け表示する等、操作不可であることを明確に表示することにより、看護師は当該患者がどちらのナースコール親機で管理されているかを容易に把握することができる。
【実施例３】
【００５２】
第３の実施例として、請求項２、請求項５、請求項６及び請求項７に基づいた動作の一例を示す。図１の構成図において、オーダリングシステム３は、登録された患者の患者ＩＤ等、患者情報をサーバ４に送信する。第２の実施例と同様に、オーダリングシステム３は患者の入院情報を保持しておらず、入院操作についてはナースコール親機で行なう。
【００５３】
患者が入院する際の手順については第２の実施例と同様であるため省略するが、第２の実施例と異なり、定期診断結果に異常のある病室のベッドについては、一切の操作ができないように第１の選局部１１１の入力を無効としているため、第３群に属する廊下灯２３ａ、２３ｂについては、切替スイッチ２３１ａ、２３１ｂ、・・・が第１のナースコール親機１１側の廊下灯接続ラインＬ１に選択されている廊下灯に限り登録することができる。
【００５４】
前述の通り、本実施例は、初期状態として全ての切替スイッチ２３１ａ、２３１ｂ、・・・が第１のナースコール親機１１側の廊下灯接続ラインＬ１に選択されている前提で記載しているため、初期状態では第３群に属する廊下灯２３ａ、２３ｂに接続された子機に対して入院操作ができるのは第１のナースコール親機１１のみであり、第２のナースコール親機１２から入院操作を行なうことはできない。
【００５５】
第３の実施例における患者と看護師の呼出、通話については、第１の実施例と同様であるため説明を省略する。
【００５６】
次に、廊下灯２３ａの切替スイッチ２３１ａが第１のナースコール親機１１側の廊下灯接続ラインＬ１に選択されており、廊下灯２３ａに接続された子機に入院患者が割り当てられている状態において、切替スイッチ２３１ａが切り替えられ、第２のナースコール親機１２側の廊下灯接続ラインＬ２に選択が変更された場合に発生するベッド移動動作について説明する。
【００５７】
切替スイッチ２３１ａが切り替えられると、図５のフローチャートに示すように、第１のナースコール親機１１の親機ＣＰＵ１１２は、定期診断異常によって切替スイッチ２３１ａの切り替えを検知する。親機ＣＰＵ１１２は、第２の実施例と同様に、断線警報の報知を抑止するとともに、表示部１１３のうち、定期診断異常となった廊下灯に対応する病室のベッドが表示された部分を灰色で網掛け表示する等、操作できないことを明確に表示する。さらに、親機ＣＰＵ１１２は、第２のナースコール親機１２に対して、定期診断異常となった廊下灯に対応する病室のベッドに入院している患者の患者情報を、ベッド移動情報として入院する病室のベッド番号、廊下灯ＩＤとともに通知する。患者情報を通知された第２のナースコール親機１２の親機ＣＰＵ１２２は、表示部１２３のうち、病室のベッド配置にあわせて表示されている患者ごとに割り当てられるに対応する位置に、当該患者の氏名等の患者情報を表示する。これにより、第２のナースコール親機１２では切替スイッチ２３１ａが切り替えられた当該患者の氏名等の患者情報を表示する。また、第１のナースコール親機１１の表示部１１３では、ベッド移動を行なった患者氏名を消去することにより、第１のナースコール親機１１からのベッド移動が完了する。
【００５８】
ベッド移動の直後に、第２のナースコール親機１２の親機ＣＰＵ１２２は、定期診断を行なう。このとき、ベッド移動が発生した廊下灯２３ａにおいて定期診断異常が発生すると、親機ＣＰＵ１２２は、廊下灯２３ａが廊下灯接続ラインＬ１、Ｌ２の双方から接続できていないことを検知し、第１群及び第２群に属する廊下灯と同様に表示部１１３の表示や、図示しない放音部から警報音を鳴動することにより断線警報を通知する。
【符号の説明】
【００５９】
１ａ、１ｂ、２ａ、２ｂ、３ａ、３ｂ  ナースコール子機
１１  第１のナースコール親機
１２  第２のナースコール親機
２１ａ、２１ｂ  （第１群の）廊下灯
２２ａ、２２ｂ、  （第２群の）廊下灯
２３ａ、２３ｂ、  （第３群の）廊下灯
１１１  第１の選局部
１２１  第２の選局部
１１２、１２２  親機ＣＰＵ
１１３、１２３  表示部
２３１（２３１ａ、２３１ｂ）  切替スイッチ
Ｌ１、Ｌ２  廊下灯接続ライン
【図１】
0005889084.tif 000002
【図２】
0005889084.tif 000003
【図３】
0005889084.tif 000004
【図４】
0005889084.tif 000005
【図５】
0005889084.tif 000006